(57)【特許請求の範囲】
【請求項１】
読取対象にレーザ光を走査し照射するレーザ光照射部と、前記レーザ光照射部で照射したレーザ光の読取対象からの反射光を受光する受光部と、前記受光部の信号を処理するアナログ信号処理部とデジタル信号処理部とからなる光学的情報読取装置において、前記レーザ光照射部からの照射光ならびに読取対象からの反射光を透過する光透過窓を有する筺体と、前記レーザ光照射部および前記受光部の信号を処理する前記アナログ信号処理部の回路部品が形成され、前記筺体内の底面側に設けられたアナログ信号処理用回路基板と、前記アナログ信号処理部からの信号を入力し、読取対象を解読する前記デジタル信号処理部の回路部品が形成され、前記筺体内の上面側に設けられたデジタル信号処理用回路基板と、前記レーザ光照射部を固定するとともに、前記底面側に設けられた前記アナログ信号処理用回路基板の上面に装着部品と干渉しない隙間をあけて設けられた前記レーザ光照射部を形成するモータ基板と、前記アナログ信号処理用回路基板と前記デジタル信号処理用回路基板とを電気的機械的に連結するフレキシブル回路基板とを備え、前記モータ基板を囲むように、前記アナログ信号処理用回路基板と前記デジタル信号処理用回路基板とを前記フレキシブル回路基板部で折り曲げて前記モータ基板に対して平行な位置をとるとともに、前記アナログ信号処理用回路基板上に前記受光部を配置して前記筐体内に収納してなることを特徴とする光学的情報読取装置。
【請求項２】
読取対象にレーザ光を走査し照射するレーザ光照射部と、前記レーザ光照射部で照射したレーザ光の読取対象からの反射光を受光する受光部と、前記受光部の信号を処理するアナログ信号処理部とデジタル信号処理部とからなる光学的情報読取装置において、略直方体状で、前記レーザ光照射部からの照射光ならびに読取対象からの反射光を透過する光透過窓を有する筺体と、前記受光部の信号を増幅して２値化する前記アナログ信号処理部の回路部品が形成され、前記筺体内の底面側に設けられたアナログ信号処理用回路基板と、前記アナログ信号処理部からの２値化信号を入力し、読取対象を解読する前記デジタル信号処理部の回路部品が形成され、前記筺体内の上面側に設けられたデジタル信号処理用回路基板と、前記レーザ光照射部を固定するとともに、前記底面側に設けられた前記アナログ信号処理用回路基板の上面に装着部品と干渉しない隙間をあけて設けられた前記レーザ光照射部を形成するモータ基板と、前記アナログ信号処理用回路基板とを電気的機械的に連結するフレキシブル回路基板とを備え、前記モータ基板を囲むように、前記アナログ信号処理用回路基板と前記デジタル信号処理用回路基板とを前記フレキシブル回路基板部で折り曲げて前記モータ基板に対して平行な位置をとるとともに、前記アナログ信号処理用回路基板上に前記受光部を配置して前記筐体内に収納してなることを特徴とする光学的情報読取装置。
【請求項３】
前記筺体が、底面側が開口している上部筺体と、底部を構成する下部筺体とからなる請求項１又は請求項２に記載の光学的情報読取装置。
【請求項４】
前記アナログ信号処理用回路基板に形成されるアナログ信号処理部が、前記受光部の信号を適正値に増幅する前置増幅回路ならびに可変利得増幅回路と、前記増幅された適正値を２値化する２値化回路から構成されてなる、請求項１又は請求項２に記載の光学的情報読取装置。
【請求項５】
前記レーザ光照射部が、レーザ光を発光するレーザダイオードとレンズとスリットとからなるレーザ光形成モジュール、前記レーザ光形成モジュールから出射されたレーザ光を走査するポリゴンミラーならびに前記ポリゴンミラーを駆動するモータから構成されてなる、請求項１又は請求項２に記載の光学的情報読取装置。
【請求項６】
前記レーザ光照射部が、レーザ光を発光するレーザダイオードとレンズとスリットからなるレーザ光形成モジュール、モータ駆動回路、モータ駆動回路の駆動により回転するモータ、モータの回転により回転し、前記レーザ光形成モジュールから出射されたレーザ光を走査するポリゴンミラーならびにモータ回転位置に同期した同期信号を出力する同期信号出力部から構成されてなる、請求項１又は請求項２に記載の光学的情報読取装置。
【請求項７】
前記レーザダイオードとレンズとスリットからなるレーザ光形成モジュールが、レーザ光形成モジュールホルダーに固定されてなる、請求項６に記載の光学的情報読取装置。
【発明の詳細な説明】
【０００１】
【発明の属する技術分野】
本発明は、バーコード等を光学的に読み取る光学的情報読取装置、詳しくは光学的情報読取装置の構造に関するものである。
【０００２】
【従来の技術】
たとえば、物体の搬送ラインの傍らに光学的情報読取装置を設置し、そのラインに沿って搬送移動する物体の表面に貼り付けあるいは印刷されたバーコード（読取対象）を読み取り、読み取ったバーコードによって搬送移動している物体を識別することはよく知られている。
【０００３】
このような光学的情報読取装置として、バーコードにレーザ光を走査して照射するレーザ光照射部、照射したレーザ光によるバーコードからの拡散反射光を受光して受光量に応じた電圧信号を出力する受光部、受光部からの電圧信号を増幅し２値化するアナログ信号処理や２値化信号を入力しバーコードを解読するデジタル信号処理などの信号処理回路部を主として有し、各部を構成する部品を、照射および受光するレーザ光を透過する窓を設けた直方体状の筐体内に収納して構成したものがある。
【０００４】
この場合、筐体は、その内部に各部を構成する部品を位置決め固定するためのたとえば凹凸などの固定部が形成されており、各部品をこの固定部に合わせて位置決め配置し、工具などを挿入してたとえばねじ止め固定するようにしている。
【０００５】
【発明が解決しようとする課題】
しかし、筐体に形成した固定部に光学的情報読取装置の各部を構成する部品を位置決め固定する構造では、工具などを挿入するためのスペースを必要とし、光学的情報読取装置の更なる小型化を図ることが困難であるという問題がある。
【０００６】
本発明は、このような問題に鑑みなされたもので、使用時には必要としない無駄なスペースを低減し、筐体内における光学的情報読取装置の各部を構成する部品の配置密度を高め、より小型化した光学的情報読取装置を提供することを目的とする。
【０００７】
【課題を解決するための手段】
請求項１に係る本発明は、読取対象にレーザ光を走査し照射するレーザ光照射部と、前記レーザ光照射部で照射したレーザ光の読取対象からの反射光を受光する受光部と、前記受光部の信号を処理するアナログ信号処理部とデジタル信号処理部とからなる光学的情報読取装置において、前記レーザ光照射部からの照射光ならびに読取対象からの反射光を透過する光透過窓を有する筺体と、前記レーザ光照射部および前記受光部の信号を処理する前記アナログ信号処理部の回路部品が形成され、前記筺体内の底面側に設けられたアナログ信号処理用回路基板と、前記アナログ信号処理部からの信号を入力し、読取対象を解読する前記デジタル信号処理部の回路部品が形成され、前記筺体内の上面側に設けられたデジタル信号処理用回路基板と、前記レーザ光照射部を固定するとともに、前記底面側に設けられた前記アナログ信号処理用回路基板の上面に装着部品と干渉しない隙間をあけて設けられた前記レーザ光照射部を形成するモータ基板と、前記アナログ信号処理用回路基板と前記デジタル信号処理用回路基板とを電気的機械的に連結するフレキシブル回路基板とを備え、前記モータ基板を囲むように、前記アナログ信号処理用回路基板と前記デジタル信号処理用回路基板とを前記フレキシブル回路基板部で折り曲げて前記モータ基板に対して平行な位置をとるとともに、前記アナログ信号処理用回路基板上に前記受光部を配置して前記筐体内に収納してなることを特徴とする
【０００８】
請求項２に係る本発明は、読取対象にレーザ光を走査し照射するレーザ光照射部と、前記レーザ光照射部で照射したレーザ光の読取対象からの反射光を受光する受光部と、前記受光部の信号を処理するアナログ信号処理部とデジタル信号処理部とからなる光学的情報読取装置において、略直方体状で、前記レーザ光照射部からの照射光ならびに読取対象からの反射光を透過する光透過窓を有する筺体と、前記受光部の信号を増幅して２値化する前記アナログ信号処理部の回路部品が形成され、前記筺体内の底面側に設けられたアナログ信号処理用回路基板と、前記アナログ信号処理部からの２値化信号を入力し、読取対象を解読する前記デジタル信号処理部の回路部品が形成され、前記筺体内の上面側に設けられたデジタル信号処理用回路基板と、前記レーザ光照射部を固定するとともに、前記底面側に設けられた前記アナログ信号処理用回路基板の上面に装着部品と干渉しない隙間をあけて設けられた前記レーザ光照射部を形成するモータ基板と、前記アナログ信号処理用回路基板とを電気的機械的に連結するフレキシブル回路基板とを備え、前記モータ基板を囲むように、前記アナログ信号処理用回路基板と前記デジタル信号処理用回路基板とを前記フレキシブル回路基板部で折り曲げて前記モータ基板に対して平行な位置をとるとともに、前記アナログ信号処理用回路基板上に前記受光部を配置して前記筐体内に収納してなることを特徴とする。
【００１１】
請求項３に係る本発明は、請求項１又は請求項２に記載の本発明において、レーザ光照射部を構成する基板に対し、前記アナログ信号処理部を構成する基板を前記筐体の底面側に、前記デジタル信号処理部を構成する基板を前記筐体の上面側に配置してなることを特徴とする。
【００１２】
請求項４に係る本発明は、請求項１又は請求項２に記載の本発明において、筐体が、底面が開口している上部筐体と、底部を構成する下部筐体とからなることを特徴とする。
【００１３】
請求項５に係る本発明は、請求項１又は請求項２に記載の本発明において、アナログ信号処理用回路基板に形成されるアナログ信号処理部が、前記受光部の信号を適正値に増幅する前置増幅回路ならびに可変利得増幅回路と、前記増幅された適正値を２値化する２値化回路から構成されてなることを特徴とする。
【００１４】
請求項６に係る本発明は、請求項１又は請求項２に記載の本発明において、前記レーザ光照射部が、レーザ光を発光するレーザダイオードとレンズとスリットからなるレーザ光形成モジュール、モータ駆動回路、モータ駆動回路の駆動により回転するモータ、モータの回転により回転し、前記レーザ光形成モジュールから出射されたレーザ光を走査するポリゴンミラーならびにモータ回転位置に同期した同期信号を出力する同期信号出力部から構成されてなることを特徴とする。
【００１５】
請求項７に係る本発明は、請求項６に記載の本発明において、レーザダイオードとレンズとスリットからなるレーザ光形成モジュールが、レーザ光形成モジュールホルダーに固定されてなることを特徴とする。
【００１６】
請求項１ないし９に係る本発明では、レーザ光照射部を囲むように、アナログ信号処理用回路基板とデジタル信号処理用回路基板とをフレキシブル回路基板部で折り曲げて、筐体内に収納するので、使用時には必要としない無駄なスペースを低減し、筐体内における光学的情報読取装置の各部を構成する部品の配置密度を高め、装置本体をコンパクト化することができる。
【００１７】
【発明の実施の形態】
以下に、本発明の実施の形態について図を参照して説明する。図１は本発明の実施の形態に係る光学的情報読取装置の組立て斜視図、図２はレーザ光照射部の斜視図、図３は回路基板の平面図、図４は外乱光および外乱電磁波の遮断機構の拡大断面図、図５は他の実施の形態に係る光学的情報読取装置の構造を示す概略断面図、図６は図５の光学的情報読取装置の構造の説明図、図７は本発明の実施の形態に係る光学的情報読取装置の全体の回路構成の概略を示すブロック図である。
【００１８】
まず、実施の形態に係る光学的情報読取装置の全体の回路構成について、図７を参照して説明する。光学的情報読取装置は、バーコード８にレーザ光を走査して照射するレーザ光照射部１と、バーコード８からの反射光を受光して受光量に応じた電圧信号を出力する受光部２と、受光部２の電圧信号を増幅して２値化するアナログ信号処理部３と、アナログ信号処理部３の２値化信号を入力しバーコードを解読すると共に、各部の制御信号を形成するデジタル信号処理部４と、デジタル信号処理部４と外部機器とのやり取りをする外部インタフェース部５（５ａは通信用のインタフェース、５ｂはタイミング信号や読み取りＯＫ、ＮＧなどの入出力用のインタフェース）と、テストスイッチ６ａ及び処理結果等を表示するＬＥＤ表示部６ｂを有する操作部６と、設定データなどを格納するＥＥＰＲＯＭ７とにより構成されている。
【００１９】
レーザ光照射部１は、レーザ駆動回路１ａとレーザ駆動回路１ａの駆動によりレーザ光を発光するレーザダイオード１ｂとレンズ１ｃとスリット１ｄとからなるレーザ光形成モジュール１Ａ（以下、ＬＤモジュール１Ａという。）と、モータ駆動回路１ｅとモータ駆動回路１ｅの駆動により回転する図示しないモータとモータの回転により回転しＬＤモジュール１Ａから出射されたレーザ光を走査する８面からなるポリゴンミラー１ｆと走査角を制御するために必要なモータの回転位置に同期した同期信号を出力する同期信号出力部１ｇとにより構成されている。
【００２０】
なお、モータの同期信号は、走査光を直接にホトダイオードで検出、ポリゴンミラー１ｆの角部をホトインタラプタで検出、モーターロータ部に回転用に用いている磁石の回転による磁束の変化を駆動用のコイルあるいはホール素子で検出、モーターロータ部に回転用とは別に埋め込んだ磁石の回転により磁束の変化をホール素子で検出、あるいはモーターロータ部に光学的なマーキングを施し、ホトインタラプタで検出などいずれでもよいが、この実施の形態では光学的情報読取装置のさらなる小型化を図るために、モーターロータ部に埋め込んだ磁石で検出するようにしている。
【００２１】
受光部２は、バーコード８を走査して照射されたレーザ光の反射光を受光する。受光する反射光はバーコード８の明暗に応じた光量を有し、受光部２はこの光量に応じた電圧信号を出力する。すなわち図示のように右から左に１回走査するとき、その走査開始から順次バーコード８の明暗に応じた反射光量を受光し、この光量に応じた電圧信号、たとえば明の場合には高く暗の場合には低い電圧信号を出力し、その走査の終了時点でバーコード８に対応した電圧信号が得られる。
【００２２】
受光部２で形成された受光量に応じた電圧信号は、アナログ信号処理部３に送られここで前置増幅回路３ａ、可変利得増幅回路および増幅率設定可能の増幅回路などからなる増幅処理部３ｂを介して２値化可能の適正値に増幅し、適正値に増幅された増幅処理部３ｂの出力電圧信号を２値化回路３ｃで２値化してデジタル信号処理部４へ送る。
【００２３】
デジタル信号処理部４は、たとえばモータの同期信号を入力してレーザダイオード１ｂの点滅を制御するなどの各部の制御、外部機器とのコマンドやデータのやり取り、ＥＥＰＲＯＭ７への設定データの書込、読出、アナログ信号処理部３のデジタルポテンショメータの抵抗値の変更、設定（各増幅回路の増幅率の調整）などを行なうとともに、２値化回路３ｃの２値化信号を入力してその信号に基づいてバーコードを解読し、その結果をインタフェース部５を介して外部機器に転送し、またＬＥＤ表示部６ｂに表示する。
【００２４】
たとえば、予め設定した走査時間でバーコード７に対応した信号が得られない場合には、バーコード７の読み取り不良のＮＧ信号をＬＥＤ表示部６ｂに表示し、インタフェース５ａからＮＧ出力を行なうとともに、インタフェース５ｂから外部機器にＮＧコマンドなどを転送し、解読した場合はバーコード７の読み取りＯＫ信号をＬＥＤ表示部６ｂに表示し、インタフェース５ａからＯＫ出力を行なうとともに、インタフェース５ｂからバーコードデータなどを外部機器に転送する。
【００２５】
このように構成された光学的情報読取装置は、光学的情報読取装置に電源が投入されることにより、モータ駆動回路１ｅが駆動されモータが回転し、ポリゴンミラー１ｆが回転する。デジタル信号処理部４はモータの同期信号を入力し、ポリゴンミラー１ｆの１つの面の所定の位置がレーザ光の反射位置（その面における走査開始点）となったとき、レーザ駆動回路１ａに点灯信号を送りレーザダイオード１ｂを点灯し、その面における反射を終了する所定の位置（その面における走査終了点）になったときレーザ駆動回路１ａに消灯信号を送りレーザダイオード１ｂを消灯する。
【００２６】
つまりモータの同期信号に基づいて発光ダイオード１ｂの点灯・消灯信号を形成し、ポリゴンミラー１ｆの１つの面でバーコード７を横切る１回の走査レーザ光が形成され、その走査範囲θはこの実施の形態では６０度に設定されている。
【００２７】
受光部２は、バーコード８へ走査にしたがい照射したレーザ光の拡散反射光を受光し、受光光量に応じた大きさの電圧信号に変換して出力する。その電圧信号はアナログ信号処理部３に送られここで前置増幅回路３ａ、可変利得増幅回路３ｂを介して適正値に増幅し２値化回路３ｃで２値化してデジタル信号処理部４へ送る。デジタル信号処理部４では通常２回の走査により一致した場合にバーコード８に対応した信号と判断してバーコード８を解読する。
【００２８】
そして、光学的情報読取装置を構成するレーザ光照射部１、受光部２およびアナログ信号処理部３、デジタル信号処理部４、インタフェース部５、ＥＥＰＲＯＭ７などからなる信号処理回路部は、光透過窓を有する筐体内に収納して構成される。この実施の形態に係る光学的情報読取装置では、レーザ光照射部１は、図２に示すように、モータ基板１１に回転軸にポリゴンミラー１ｆを固定したモータ１４とＬＤモジュール１Ａを固定したＬＤモジュールホルダー１３を固定する。ＬＤモジュール１Ａは断面外形円形もしくは楕円形に形成され、長手方向の両側端部をＬＤモジュールホルダー１３に嵌め合わせて固定されている。
【００２９】
信号処理回路部を構成する部品はプリント基板（回路基板）に実装するが、回路基板は図３に示すように、回路基板２１ａ〜２１ｅに５分割され、各回路基板２１ａ〜２１ｅは折り曲げて底面側、後側面、左右両側面および上面側に位置するようにフレキシブル回路基板２２により電気的機械的に連結されている。そして例えば底面側に位置する回路基板２１ａにはアナログ信号処理部３の回路部品が、上面に位置する回路基板２１ｃにはデジタル信号処理部４の回路部品が、後側面に位置する回路基板２１ｂには電線接続部が形成されている。
【００３０】
図１は光学的情報読取装置の組立て図である。図３に示す各回路基板２１ａ〜２１ｅに部品が装着されると、底面側に位置する回路基板２１ａの上面に装着部品と干渉しない隙間をあけて図２に示すＬＤモジュール１Ａおよびポリゴンミラー１ｆを固定したモータ基板１１を固定し、ブッシュ２４を固定したケーブル２３を接続し、各回路基板２１ｂ〜２１ｄをＬＤモジュール１Ａおよびポリゴンミラー１ｆを囲むようにフレキシブル回路基板２２部で折り曲げ、回路基板２１ｅをＬＤモジュール１Ａに接続して装置本体２５をコンパクト化する。
【００３１】
コンパクト化された装置本体２５は、全方向から部品の観察や操作ができるように開口された樹脂製のシャーシ（枠体）２７に嵌めあわせて固定し、その前面に受光素子モジュール２を固着した枠２６を嵌め込み固定される。受光素子モジュール２を固着した枠２６は、上部にレーザ光を透過する空間２６ｂが形成され、その下部に反射光を透過する窓が形成され、その窓の内側にホトダイオード等の受光素子モジュール２を固定している。そしてその窓には、外乱光および外乱電磁波を遮断する機構２６ａが配置されている。
【００３２】
外乱光および外乱電磁波を遮断する機構２６ａは、この実施の形態では図４の拡大図に示すように、透明の薄いシリコンシート２６ｂ１と黒色の薄いシリコンシート２６ｂ２を交互に複数積み重ね、これを所要の厚みに切断して形成した透明部および非透明部の間隔の小さいルーバー２６ｂと、このルーバー２６ｂを覆って透光性の導電性フィルムからなる電磁遮蔽体２６ｃを設けて形成されている。なお、電磁遮蔽体２６ｃはルーバー２６ｂの前面あるいは後面のいずれであってもよい。
【００３３】
すなわち、ルーバー２６ｂの透明部および非透明部の間隔を小さくすることにより、薄く、つまりルーバー２６ｂ内を通過する光路を短くして受光すべき反射光の入射光路方向に対して斜め方向からの外乱光の入射を遮断するようにしている。これにより外乱光を遮断するに要するスペースを低減することができる。この場合、このルーバー２６ｂは絶縁体であるために、外乱光に対しては遮断するが電磁波を透過して誤動作する恐れがあり、この電磁波を遮断するために透光性の導電性フィルム２６ｃでルーバー２６ｂの前面を覆っている。なお、ルーバー２６ｂを導電性部材で形成する場合あるいは導電性部材でコーティングする場合には、導電性フィルム２６ｃを設けなくてもよいことは言うまでもない。また枠２６の全外周面にはニッケルなどの導電性金属による蒸着を施して電磁遮蔽されている。
【００３４】
２８は上部を形成する筐体でその前面にレーザ光の照射および反射光を透過する窓２８ａが、側面にケーブル２３に固定したブッシュ２４を固定する三角状の開口２８ｂが形成され、この開口２８ｂと対向する反対側の側面にキートップ３５を装着する開口２８ｃが形成され底面は開口している。
【００３５】
窓２８ａには窓ガラス２９が嵌められ、その内側および上部筐体２８の後面内側に絶縁シート３１および３２が取り付けられる。３４は底部筐体で受光素子モジュール２が位置する下部に絶縁シート３３を敷き、装置本体２５および受光素子モジュール２を装着した枠２６を固定した枠体２７を載置し、上部筐体２８を被せてねじ３６で固定する。すなわち、枠体２７に装置本体を構成する各部品を固定した後、この枠体２７を筐体２８内に嵌合収納する構造に構成する。
【００３６】
以上の実施の形態に係る光学的情報読取装置の構造では、上部筐体２８および底部筐体３４で形成される筐体は略直方体状に形成され、レーザ光照射部１から出射されたレーザ光はそのまま直進して筐体の正面に形成された窓２８ａから出射してバーコード８を照射するように構成されている。しかし、このように構成すると、略直方体状の筐体の広い側面すなわち前記実施の形態の底面を通常設置面とすることとなり、広い設置スペースが必要である。この設置スペースを狭くするために、たとえば筐体の上面に光透過窓を形成し、筐体内にミラーを設置してレーザ光照射部１から出射されたレーザ光をミラーで曲げて、筐体の上面に形成した光透過窓から出射するように構成し、略直方体状の筐体の狭い側面を設置面とする場合がある。
【００３７】
図５はこの場合の実施の形態に係る光学的情報読取装置の構造の概略を示すもので、この図において、４１は筐体、４２は光透過窓、４３はポリゴンミラー、４４はミラー、４５は受光部、４６は外乱光および外乱電磁波を遮断する機構である。光透過窓４２は、ポリゴンミラー４３で走査されたレーザ光がミラー４４に到る光軸と平行する面、すなわち上面に対して傾斜させ、ミラー４４が位置する側の筐体４１の端部４１ａの高さ寸法をこれに対向する筐体４１の端部４１ｂの高さ寸法よりも小さく形成されている。
【００３８】
すなわち、バーコードからの正反射光を受光する（反射光量が大き過ぎる）ことを避けるために、バーコードの直角方向に対して略１５度傾斜した方向からバーコードにレーザ光を照射するが、直方体に形成された筐体の上面と面一に光透過窓４２を形成すると、図６に示すように、筐体４１Ａの寸法Ｌ１と長いが、光透過窓４２を傾斜させることによってその寸法をｄだけ短くしたＬとすることができる。なお、図６に示す点線矢印はラスタースキャンする場合のラスターの幅を示しており、このラスターの幅は筐体の寸法を短くしても確保される。つまりラスターの幅を保持して筐体の寸法を短くしている。
【００３９】
この実施の形態における外乱光および外乱電磁波を遮断する機構４６は、前記の実施の形態の外乱光および外乱電磁波を遮断する機構２６ａと同様に形成されるが、透明部材および非透明部材の積層は入射光と平行するように斜めに積層されている。また、ポリゴンミラー４３で走査したレーザ光をミラー４４で曲げるので、光透過窓４２面における走査幅（図６に示す紙面に対して直角方向）が広くなっており、より光学的情報読取装置に近いバーコードを読み取ることができる。
【００４０】
【発明の効果】
以上詳述したように、本発明によれば、レーザ光照射部と読取対象からの反射光を受光する受光部の信号を処理するアナログ信号処理部の回路部品が形成されるアナログ信号処理用回路基板と、アナログ信号処理部からの信号を入力し、読取対象を解読するデジタル信号処理部の回路部品が形成されるデジタル信号処理用回路基板とを、フレキシブル回路基板により電気的機械的に連結し、レーザ光照射部を囲むように、アナログ信号処理用回路基板とデジタル信号処理用回路基板とをフレキシブル回路基板部で折り曲げ、筐体内に収納するので、使用時には必要としない無駄なスペースを低減し、筐体内における光学的情報読取装置の各部を構成する部品の配置密度を高め、より小型化した光学的情報読取装置を提供することができる。
【図面の簡単な説明】
【図１】本発明の実施の形態に係る光学的情報読取装置の組み立て斜視図である。
【図２】本発明の実施の形態に係る光学的情報読取装置のレーザ光照射部の斜視図である。
【図３】本発明の実施の形態に係る光学的情報読取装置の回路基板の平面図である。
【図４】本発明の実施の形態に係る光学的情報読取装置の外乱光および外乱電磁波の遮断機構の拡大断面図である。
【図５】本発明の他の実施の形態に係る光学的情報読取装置の構造を示す概略断面図である。
【図６】図５に示す光学的情報読取装置の構造の説明図である。
【図７】本発明の実施の形態に係る光学的情報読取装置の全体の回路構成を示すブロック図である。
【符号の説明】
１    レーザ光照射部
１Ａ  ＬＤモジュール
１ａ  レーザ駆動回路
１ｂ  レーザダイオード
１ｃ  レンズ
１ｄ  スリット
１ｆ  ポリゴンミラー
２    受光部
３    アナログ信号処理部
３ｂ  利得可変の増幅手段
３ｃ  ２値化回路
４    デジタル信号処理部
５    インタフェース部
６    操作部
７    ＥＥＰＲＯＭ
８    バーコード
１１  モータ基板
１３  ＬＤモジュールホルダー
１４  モータ
２１ａ〜２１ｅ  回路基板
２２  フレキシブル回路基板
２３  ケーブル
２４  ブッシュ
２５  装置本体
２６  枠
２６ａ  外乱光および外乱電磁波遮断機構
２６ｂ  ルーバー
２６ｃ  透光性の導電性フィルム
２７  枠体
２８  上部筐体
２８ａ  光透過窓
２８ｂ  ブッシュ固定開口
３４  底部筐体
４１  筐体
４２  光透過窓
４３  ポリゴンミラー
４４  ミラー
４５  受光部
４６  外乱光および外乱電磁波遮断機構
【図１】
0003570554.tif 000002
【図２】
0003570554.tif 000003
【図３】
0003570554.tif 000004
【図４】
0003570554.tif 000005
【図５】
0003570554.tif 000006
【図６】
0003570554.tif 000007
【図７】
0003570554.tif 000008